(57)【要約】【課題】近年のマンション等は、間取の自由度、他の住戸とは異なる水周り配置とすることが要求され、特に水廻り器具を南側に持ってくることが好まれ、排水立て管から水周り器具までの横引き管の長さが長い物件が増えている。本発明はかかる要請に対処する排水敷設システムであり、横引き管の長さが長い排水に最適な敷設システムを提供する。【解決手段】サイフォン排水敷設システムにおいて、横引き管の水廻り器具に直接接続する側には他の水廻り器具からの排水と合流可能とした管径の太い管Ａを勾配を付して敷設し、その先端より前記の管Ａより管径の細い管Ｂを無勾配として敷設し、当該管Ｂを前記合流継手まで導いたことを特徴とする水廻り器具からの排水敷設システム。１‥床面、６‥立て管、７ｂ‥合流継手、８‥床、ｈｃ‥床の高さ、Ａ‥勾配付き横引き管、Ｂ‥勾配なし横引き管、Ｈ‥水頭。【選択図】図６
2007016566.tif 000002
【特許請求の範囲】
【請求項１】
水廻り器具からの横引き管と、当該横引き管を垂下させた水頭を有するサイフォン排水敷設システムであって、横引き管の水廻り器具に直接接続する側には他の水廻り器具からの排水と合流可能とした管径の太い管Ａを勾配を付して敷設し、その先端より前記の管Ａより管径の細い管Ｂを無勾配として敷設し、当該管Ｂを前記合流継手まで導いたことを特徴とする水廻り器具からの排水敷設システム。
【請求項２】
落差Ｈが、１ｍ以上である請求項１記載の水廻り器具からの排水敷設システム。
【請求項３】
管Ａの管径が、５０〜１２５ｍｍである請求項１又は２記載の水廻り器具からの排水敷設システム。
【請求項４】
管Ｂの管径が、２０±１０ｍｍである請求項１乃至３いずれか１記載の水廻り器具からの排水敷設システム。
【請求項５】
管Ａの部位で複数の水廻り器具からの排水を合流させる構造とした請求項１乃至４いずれか１記載の水廻り器具からの排水敷設システム。
【請求項６】
管Ｂの部位では他の水廻り器具からの排水を合流させない構造とした請求項１乃至５いずれか１記載の水廻り器具からの排水敷設システム。
【発明の詳細な説明】
【技術分野】
【０００１】
本発明は主として集合住宅や戸建て住宅における水廻り器具からの排水敷設システムに関するものである。
【背景技術】
【０００２】
従来より行われている集合住宅や戸建て住宅における水廻り器具からの排水敷設システムは、床面上に配置され、或いはこれに埋め込まれる排水管（以下横引き管という）に所定の勾配を付けることが義務付けられており、水廻り器具からの排水を適当に合流させて横引き管となし、これを立て管の合流継手に導く排水敷設システムとしていた。
【０００３】
このように、従来型の排水敷設システムにあっては、横引き管に勾配を付けることから、横引き管が長い場合は、この床下も大きくすることが必要となり、床下に無駄なスペ−スができてしまうという点が指摘されていた。このため、横引き管をできるだけ短くするように設計する必要があり、設計の自由度に大きな限界があった。
【０００４】
これらの欠点を解消するものとして近年になりサイフォン排水敷設システムが提案されている（特許文献１）。かかる排水敷設システムは、各水廻り器具からの横引き管には勾配を付ける必要がなく、例えば床面に単に配置するだけで十分排水が可能となるものであり、立て管への合流部を水廻り器具がある床面よりも下げた位置にて合流させるものである。かかる横引き管が配置される床面と合流部との水頭Ｈの位置エネルギ−を用いて横引き管内の水にサイフォンを発生させて排水しようとする排水敷設システムである。
【０００５】
しかるに、かかるサイフォン排水敷設システムでは、各水廻り器具からの排水を合流することなく立て管に導くため、管径が比較的細いものが用いられ、かつ、床下空間を小さくすることができる特徴があるが、横引き管の長さが長いとサイフォン開始時間がそれだけ長くかかり、その間に器具によっては排水口より溢れ出てしまうという課題があり、そのためサイフォン開始時間との兼ね合いで器具毎に横引き管の敷設長さに限界があった。又、サイフォン排水敷設システムでは、上記したように横引き管を合流することがなく、従って、立て管との合流部付近では沢山の器具排水管が集まり、納まりが悪かった。
【０００６】
【特許文献１】特開平２０００−２９７４４７号公報
【発明の開示】
【発明が解決しようとする課題】
【０００７】
しかし、近年のマンション等にあっては、間取の自由度が要求されたり、高級志向等から、他の住戸とは異なる水周り配置とすることが要求されるようになり、特に水廻り器具を南側に持ってくることが好まれ、立て管から水周り器具までの横引き管の長さが長い物件が増えている。
【０００８】
本発明はかかる要請に対処する排水敷設システムであって、横引き管の長さが長い排水に最適な敷設システムを提供するものである。
【課題を解決するための手段】
【０００９】
本発明の要旨は、水廻り器具からの横引き管と、当該横引き管を垂下させた水頭を有するサイフォン排水敷設システムであって、横引き管の水廻り器具に直接接続する側には他の水廻り器具からの排水と合流可能とした管径の太い管Ａを勾配を付して敷設し、その先端より前記の管Ａより管径の細い管Ｂを無勾配として敷設し、当該管Ｂを前記合流継手まで導いたことを特徴とする水廻り器具からの排水敷設システムにかかるものである。
【発明の効果】
【００１０】
本発明によれば、横引き管の長さが長い場合にあっても十分対応可能であり、配管敷設にあって、その設計の自由度が大きく保たれ、水廻り器具と立て管との位置関係を然程気にすることなく設計できることとなったものである。
【発明を実施するための最良の形態】
【００１１】
本発明は以上の通りであり、排水システム全体としてはサイフォン排水システムを構成するが、水廻り器具と立て管の間の横引き管の敷設を改良したものである。即ち、横引き管において、水廻り器具側の横引き管Ａを従来の横引き管と同じように勾配を付けて敷設するものであり、勿論、複数の水廻り器具からの排水を合流することが可能である。そして、立て管側の横引き管Ｂは上記の横引き管Ａより管径の細い管を採用し、これには無勾配にて床面に敷設するものである。かかる管Ｂにあっては、他の水廻り器具からの排水は合流させることはない敷設である。
【００１２】
具体的には、一般排水部分即ち管Ａの長さとしては、１／１００の勾配をもって敷設した場合、床下１３０ｍｍ前後に納まる程度とする。従来排水の部分（管Ａ）では、勾配を付けて排水を流すため他の水廻り器具からの排水を合流することが可能である。
【００１３】
一方、サイフォン排水システムでは横引き管が長い場合、サイフォン開始時間が長くかかり、サイフォン開始を待てずに器具によっては排水が溢れ出すこととなるケ−スがあったが、上記の敷設システムを採用することにより、一般排水部分の管Ａがチヤンバーの役目をすることとなり、排水溢れの現象が解消できることとなったものである。
【００１４】
本発明の排水敷設システムにあって、サイフォンを生じさせる水頭Ｈは、通常は１ｍ以上が必要であり、できれば２．５〜３ｍ（集合住宅で言えば、１階下の階に合流継手を配置する）程度が望ましいものとなる。又、管Ａの管径は５０〜１２５ｍｍ、管Ｂの管径は２０±１０ｍｍ程度である。又、本発明の排水敷設システムにあって、横引き管は必ずしも立て管に合流させる必要もなく、いわゆる自由放流であってもよい。
【００１５】
尚、複数の水廻り器具からの水が接続するため、サイフォンを生じる側の管Ｂの処理流量が不足する場合は、管径を大きくしたり、複数の管Ｂを採用することで対応することが可能である。更に、本発明では立て管に合流する排水管の数が今までのサイフォン排水と比べて格段に減るため、接続処理やメンテナンス時の処理、管収納部での収まりもよくなるという特徴も兼ね備えている。
【実施例】
【００１６】
以下、図面をもって本発明を更に詳細に説明する。
図１は従来から採用されている勾配を付けて敷設される排水敷設システムの平面図であり、図２はその断面図である。この例では床面１に対し、ユニットバスが配置されたバスルーム２及び洗面器３、更には洗濯機４を配置した例であり、各水廻り器具に接続された管ａ１は管径が５０Ａであり、これが一箇所にて合流し、合流した先の横引き管Ａの管径は７５Ａのものを使用した。そして、管収納部５内に配置されている立て管６の合流継手７ａに向かって所定の勾配を付けて敷設されるものである。
【００１７】
このため、床８の高さｈａはこの斜めに敷設された横引き管Ａを覆う高さを必要としてしまう。又、合流継手７ａの構造も比較的大きくなり、排水の合流時の騒音の発生も大きいという欠点もある。
【００１８】
図３はサイフォン排水敷設システムの平面図であり、図４はその断面図である。この例も前例と同様に床面１に対し、バスルーム２及び洗面器３、更には洗濯機４を配置した例である。そして、各水廻り器具に接続された管ａ２は管径が２０Ａであり、これがそのまま横引き管Ｂとなり、合流することなく、かつ、勾配を付けることなく管収納部５内に配置されている立て管６の合流継手７ｂに向かって敷設されるものである。かかる合流継手７ｂにあっては、図示するように床面１に対して低い位置に備えたものであり、この水頭Ｈによって横引き管Ｂ内の水にサイフォン力が生じるものである。
【００１９】
このため、床８の高さｈｂはこの横引き管Ａを覆うだけの高さでよいこととなる。ただし、合流継手７ｂに至るまでには管数が多く、敷設に手間がかかるという点があり、又、管内に水が充満しなくてはサイフォン現象が生じないことから、排水に至るまでに時間がかかり、器具によっては排水口より逆流するケースがある。
【００２０】
図５は本発明の排水敷設システムの平面図であり、図６はその断面図である。この例も前例と同様に床面１に対し、バスルーム２、洗面器３、更には洗濯機４を配置した例である。そして、各水廻り器具に接続された管ａ３は管径が５０Ａであり、これが一箇所にて合流し、合流した先の管ａ４の管径は７５Ａである。勿論、これらの各管は所定の勾配を付けて敷設されるものである。さて、かかる管ａ４の先端に管径が２０Ａの横引き管Ｂが接続されたものであり、合流することなく、かつ、勾配を付けることなく管収納部５内に配置されている立て管６の合流継手７ｂに向かって敷設されるものである。尚、排水能力が２０Ａ一本では不足することが予測される場合には、２５Ａ等のサイズアップした配管を使用するか、又は、２０Ａを２本用いて排水することも考えられる。かかる合流継手７ｂにあっては、図３及び図４にて説明した通りであり省略するが、水頭Ｈによって横引き管Ｂ内の水にサイフォン力が生じるものである。
【００２１】
このため、本発明の排水敷設システムによれば、床８の高さｈｃは勾配が付けられた管ａ３及びａ４を覆うだけの高さでよいこととなる。又、合流継手７ｂに接続される管数も少なく、敷設時やメンテナンス時にも利便性が増す。更に、サイフォン力が生じるまでには時間がかかるが、管ａ３及び管ａ４はこの横引き管Ｂの管径に比べてかなり太いものが採用されることから、この管自体がチャンバ−機能として働くこととなり、排水時に水が溢れ出るという現象もなくなったものである。
【産業上の利用可能性】
【００２２】
本発明の排水敷設システムは、従来の勾配型の排水システムとサイフォン型の排水システムを組み合わせて従来にない特徴を創出したもので、横引き管の長さが長い場合であっても十分に対応可能となったもので、水廻り器具の位置取りを立て管の位置を気にせずに設計可能となったものである。このため、本発明の排水敷設システムは、他の類似する排水手段に広く採用可能となったものであり、その利用範囲は極めて広い。
【図面の簡単な説明】
【００２３】
【図１】図１は従来の勾配を付けて敷設される排水敷設システムの平面図である。
【図２】図２は図１の断面図である。
【図３】図３はサイフォン型排水敷設システムの平面図である。
【図４】図４は図３の断面図である。
【図５】図５は本発明の排水敷設システムの平面図である。
【図６】図６は図５の断面図である。
【符号の説明】
【００２４】
１‥床面、
２‥バスルーム、
３‥洗面器、
４‥洗濯機、
５‥管収納部、
６‥立て管、
７ａ、７ｂ‥合流継手、
８‥床、
ａ１、ａ２、ａ３‥水廻り器具に接続された管、
ａ４‥合流管、
ｈａ、ｈｂ、ｈｃ‥床の高さ、
Ａ‥勾配付き横引き管、
Ｂ‥勾配なし横引き管、
Ｈ‥水頭。
【図１】
2007016566.tif 000003
【図２】
2007016566.tif 000004
【図３】
2007016566.tif 000005
【図４】
2007016566.tif 000006
【図５】
2007016566.tif 000007
【図６】
2007016566.tif 000008